【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
感光体と、
入力画像データに基づいて光ビームを出射する光源と、
前記光源から出射された光ビームが前記感光体上を走査するように前記光ビームを偏向する偏向手段と、
前記偏向手段によって偏向された前記光ビームを検知し、前記光ビームを検知したことに応じて検知信号を出力する検知手段と、
第１のクロック信号に同期して前記検知信号を格納し、格納された前記検知信号に対応する複数ビットのビットパターンを前記検知信号よりも高周波であり前記第１のクロック信号よりも低周波の第２のクロック信号に同期して出力する格納手段と、
前記格納手段から出力された前記ビットパターンに基づいてタイミング信号を出力し、前記ビットパターンに含まれるビットデータの変化位置に対応する位相信号を出力する出力手段と、
前記出力手段から出力される前記タイミング信号と前記位相信号とに基づいて、入力画像データに基づく前記光源からの光ビームの出射タイミングを制御する制御手段と、
を備えることを特徴とする画像形成装置。
【請求項２】
前記格納手段は、前記第１のクロック信号に同期してシリアルに入力される前記検知信号を格納する格納部を備え、前記第１のクロック信号に同期して前記格納部に格納された前記検知信号を上位ビットの格納部にシフトさせる第１のシフトレジスタであることを特徴とする請求項１に記載の画像形成装置。
【請求項３】
前記制御手段は、前記出力手段から出力される前記位相信号に基づいてシフトデータを生成し、前記光源を駆動するための駆動信号として生成した前記シフトデータを出力した後に前記入力画像データを前記光源に出力することを特徴とする請求項１または２に記載の画像形成装置。
【請求項４】
前記制御手段は、前記第２のクロック信号に同期してパラレルに入力される前記シフトデータまたは前記入力画像データを格納する複数の格納部を有し、前記第１のクロック信号に同期して複数ビットの前記格納部に記憶されたデータを前記駆動信号として最上位ビットからシリアルに前記光源に出力する第２のシフトレジスタを備えることを特徴とする請求項３に記載の画像形成装置。
【請求項５】
前記第１のクロック信号は前記第２のクロック信号の整数倍の周波数のクロック信号であることを特徴とする請求項１乃至４いずれか１項に記載の画像形成装置。
【請求項６】
前記第２のクロック信号を逓倍して前記第１のクロック信号を生成する信号生成手段をさらに備えることを特徴とする請求項５に記載の画像形成装置。
【請求項７】
前記第２のクロック信号に対する前記１のクロック信号の逓倍数と前記ビットパターンのビット数とが一致することを特徴とする請求項６に記載の画像形成装置。
【請求項８】
前記ビットパターンにおける前記ビットデータの変化位置は、前記検知手段が前記光ビームを受光したことに応じて生成する前記検知信号の生成開始タイミングに対応することを特徴とする請求項１乃至７いずれか１項に記載の画像形成装置。
【請求項９】
前記ビットパターンにおける前記ビットデータの位置は、前記ビットパターンにおいて隣接するデジタル信号とは異なる信号のビット位置を示すことを特徴とする請求項１乃至８いずれか１項に記載の画像形成装置。
【請求項１０】
感光体と、
入力画像データに基づいて光ビームを出射する光源と、
前記光源から出射された光ビームが前記感光体上を走査するように前記光ビームを偏向する偏向手段と、
前記偏向手段によって偏向された前記光ビームを検知し、前記光ビームを検知したことに応じて検知信号を出力する検知手段と、
前記検知手段が出力する前記検知信号よりも高周波の第１のクロック信号、及び前記第１のクロック信号よりも低周波であり前記検知信号よりも高周波の第２のクロック信号が入力され、前記第２のクロック信号に同期して前記検知信号を取得し、前記第１のクロック信号に基づいて、取得した前記検知信号と前記第２のクロック信号との位相差を決定する決定手段と、
前記決定手段が前記第２のクロック信号に同期して取得した前記検知信号と、前記決定手段が決定した前記検知信号と前記第２のクロック信号との前記位相差と、に基づいて、前記入力画像データに基づく前記光源からの光ビームの出射タイミングを制御する制御手段と、
を備えることを特徴とする画像形成装置。
【請求項１１】
前記検知手段が出力する前記検知信号よりも高周波の第１のクロック信号を生成し、前記第１のクロック信号よりも低周波であり前記検知信号よりも高周波の第２のクロック信号を生成する信号生成手段をさらに備えることを特徴とする請求項１０に記載の画像形成装置。
【請求項１２】
前記第１のクロック信号は第１の周波数のクロック信号であり、前記第２のクロック信号は前記第１の周波数よりも低い第２の周波数のクロック信号であり、
前記制御手段は、前記決定手段が取得した前記検知信号と、前記決定手段が決定した前記検知信号と前記第２のクロック信号との前記位相差とに基づいて、前記第１の周波数単位で前記入力画像データに基づく前記光源からの光ビームの出射タイミングを制御することを特徴とする請求項１０または１１に記載の画像形成装置。
【請求項１３】
前記第１のクロック信号に同期して前記検知信号を格納し、格納された前記検知信号に対応する複数ビットのビットパターンを前記第２のクロック信号に同期して出力する格納手段をさらに備えており、
前記決定手段は、前記第２のクロック信号に同期して前記格納手段が出力する前記ビットパターンを取得し、前記第２のクロック信号に同期して取得された前記ビットパターンに含まれるビットデータの変化位置に基づいて前記位相差を決定することを特徴とする請求項１０乃至１２いずれか１項に記載の画像形成装置。
【請求項１４】
前記格納手段は、前記第１のクロック信号に同期してシリアルに入力される前記検知信号を格納する格納部を備え、前記第１のクロック信号に同期して前記格納部に格納された前記検知信号を上位ビットの格納部にシフトさせる第１のシフトレジスタであることを特徴とする請求項１３に記載の画像形成装置。
【請求項１５】
前記位相差に基づいてシフトデータを生成し、前記第１のクロック信号に同期して前記光源を駆動するための駆動信号として生成した前記シフトデータを出力した後に前記入力画像データを前記光源に出力することを特徴とする請求項１０乃至１４いずれか１項に記載の画像形成装置。
【請求項１６】
前記制御手段は、前記第２のクロック信号に同期してパラレルに入力される前記シフトデータまたは前記入力画像データを格納する複数の格納部を有し、前記第１のクロック信号に同期して前記複数の格納部に記憶されたデータを前記駆動信号として最上位ビットからシリアルに前記光源に出力する第２のシフトレジスタを備えることを特徴とする請求項１５に記載の画像形成装置。
【請求項１７】
前記第１のクロック信号は前記第２のクロック信号の整数倍の周波数のクロック信号であることを特徴とする請求項１０乃至１６いずれか１項に記載の画像形成装置。
【請求項１８】
前記第２のクロック信号を逓倍して前記第１のクロック信号を生成する信号生成手段をさらに備えることを特徴とする請求項１７に記載の画像形成装置。
【請求項１９】
前記第２のクロック信号を逓倍して前記第１のクロック信号を生成する信号生成手段をさらに備え、
前記第２のクロック信号に対する前記１のクロック信号の逓倍数と前記ビットパターンのビット数とが一致することを特徴とする請求項１７に記載の画像形成装置。
【請求項２０】
感光体と、入力画像データに基づいて光ビームを出射する光源と、前記光源から出射された光ビームが前記感光体上を走査するように前記光ビームを偏向する偏向手段と、前記偏向手段によって偏向された前記光ビームを検知し、前記光ビームを検知したことに応じて検知信号を出力する検知手段と、を備える画像形成装置に備えられる制御装置であって、
前記検知手段が出力する前記検知信号よりも高周波の第１のクロック信号、及び前記第１のクロック信号よりも低周波であり前記検知信号よりも高周波の第２のクロック信号が入力され、前記第２のクロック信号に同期して前記検知信号を取得し、前記第１のクロック信号に基づいて、取得した前記検知信号と前記第２のクロック信号との位相差を決定する決定手段と、
前記決定手段が、前記第２のクロック信号に同期して取得した前記検知信号と、前記決定手段が決定した前記検知信号と前記第２のクロック信号との前記位相差と、に基づいて、前記入力画像データに基づく前記光源からの光ビームの出射タイミングを制御する制御手段と、
を備えることを特徴とする制御装置。
【請求項２１】
前記検知手段が出力する前記検知信号よりも高周波の第１のクロック信号を生成し、前記第１のクロック信号よりも低周波であり前記検知信号よりも高周波の第２のクロック信号を生成する信号生成手段をさらに備えることを特徴とする請求項２０に記載の制御装置。
【手続補正２】
【補正対象書類名】明細書
【補正対象項目名】発明の名称
【補正方法】変更
【補正の内容】
【発明の名称】画像形成装置及びその制御装置
【手続補正３】
【補正対象書類名】明細書
【補正対象項目名】０００１
【補正方法】変更
【補正の内容】
【０００１】
本発明は、感光体ドラム上をレーザビームにより走査することで、静電潜像を形成し、トナーを付着させて記録媒質上に可視像化する電子写真方式の画像形成装置及びその制御装置に関する。
【手続補正４】
【補正対象書類名】明細書
【補正対象項目名】０００６
【補正方法】変更
【補正の内容】
【０００６】
本発明は、光ビームを検知したことに応じて出力される検知信号を第１のクロック信号に同期して格納手段に格納し、第１のクロックよりも低周波の第２のクロック信号に同期して検知信号に対応するビットパターンを処理することによって光源からの光ビームの出射タイミングを制御する画像形成装置を提供する。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
かかる課題を解決するために、本発明の画像形成装置は、感光体と、入力画像データに基づいて光ビームを出射する光源と、前記光源から出射された光ビームが前記感光体上を走査するように前記光ビームを偏向する偏向手段と、前記偏向手段によって偏向された前記光ビームを検知し、前記光ビームを検知したことに応じて検知信号を出力する検知手段と、第１のクロック信号に同期して前記検知信号を格納し、格納された前記検知信号に対応する複数ビットのビットパターンを前記検知信号よりも高周波であり前記第１のクロック信号よりも低周波の第２のクロック信号に同期して出力する格納手段と、前記格納手段から出力された前記ビットパターンに基づいてタイミング信号を出力し、前記ビットパターンに含まれるビットデータの変化位置に対応する位相信号を出力する出力手段と、前記出力手段から出力される前記タイミング信号と前記位相信号とに基づいて、入力画像データに基づく前記光源からの光ビームの出射タイミングを制御する制御手段と、を備えることを特徴とする。
【手続補正７】
【補正対象書類名】明細書
【補正対象項目名】０００９
【補正方法】変更
【補正の内容】
【０００９】
また、本発明の画像形成装置は、感光体と、入力画像データに基づいて光ビームを出射する光源と、前記光源から出射された光ビームが前記感光体上を走査するように前記光ビームを偏向する偏向手段と、前記偏向手段によって偏向された前記光ビームを検知し、前記光ビームを検知したことに応じて検知信号を出力する検知手段と、前記検知手段が出力する前記検知信号よりも高周波の第１のクロック信号、及び前記第１のクロック信号よりも低周波であり前記検知信号よりも高周波の第２のクロック信号が入力され、前記第２のクロック信号に同期して前記検知信号を取得し、前記第１のクロック信号に基づいて、取得した前記検知信号と前記第２のクロック信号との位相差を決定する決定手段と、前記決定手段が、前記第２のクロック信号に同期して取得した前記検知信号と、前記決定手段が決定した前記検知信号と前記第２のクロック信号との前記位相差と、に基づいて、前記入力画像データに基づく前記光源からの光ビームの出射タイミングを制御する制御手段と、を備えることを特徴とする。
【手続補正８】
【補正対象書類名】明細書
【補正対象項目名】００１０
【補正方法】変更
【補正の内容】
【００１０】
また、本発明による制御装置は、感光体と、入力画像データに基づいて光ビームを出射する光源と、前記光源から出射された光ビームが前記感光体上を走査するように前記光ビームを偏向する偏向手段と、前記偏向手段によって偏向された前記光ビームを検知し、前記光ビームを検知したことに応じて検知信号を出力する検知手段と、を備える画像形成装置に備えられる制御装置であって、前記検知手段が出力する前記検知信号よりも高周波の第１のクロック信号、及び前記第１のクロック信号よりも低周波であり前記検知信号よりも高周波の第２のクロック信号が入力され、前記第２のクロック信号に同期して前記検知信号を取得し、前記第１のクロック信号に基づいて、取得した前記検知信号と前記第２のクロック信号との位相差を決定する決定手段と、前記決定手段が、前記第２のクロック信号に同期して取得した前記検知信号と、前記決定手段が決定した前記検知信号と前記第２のクロック信号との前記位相差と、に基づいて、前記入力画像データに基づく前記光源からの光ビームの出射タイミングを制御する制御手段と、を備えることを特徴とする制御装置。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明により、光ビームの検出精度が向上し、画像形成の精度が向上する。